(57)【要約】【課題】手挿入口が狭く挿入した手が見えず恐怖感があり、空気吹出しノズル等に手が接触し不衛生である。さらに、両手の手のひら側を平行にそろえなければならず、自然な体勢で使用することになる。【解決手段】箱体と、その箱体の略上面部に中央部が使用者より離れる方向へ左右方向が使用者側へ近づく方向へ開口した手挿入口と、この手挿入口の開口側近傍において挿入される手に対して掌側と手の甲側の両面に気体を吹出すために、前記開口部略上面の手挿入口前側及び奥側に手挿入左右方向に沿って横長に形成された略対面する気体吹出口と前記気体吹出口に対して手挿入口側と反対側に設けられ、前記気体吹出口からの吹出し風により手より吹飛ばされた水滴を受け止めるための水受部を備えた。【選択図】　図１
2004113712.tif 000002
【特許請求の範囲】
【請求項１】
箱体と、その箱体の略上面部に中央部が使用者より離れる方向へ左右が使用者側へ近づく方向へ開口した手挿入口と、この手挿入口の左右に挿入される両手の掌側と甲側の両面に気体を吹出す、開口部近傍内面の対面する位置に、開口部に沿って横長に形成させた気体吹出口と、該気体吹出口の下方に配設させた前記気体吹出口からの吹出し風により手より吹飛ばされた水滴を受け止めるための水受部を備えたことを特徴とする手乾燥装置。
【請求項２】
前記手挿入口は、くの字形又は円弧状に中央部より左右方向が使用者側へ近づいて開口されたことを特徴とする請求項１記載の手乾燥装置。
【請求項３】
前記手乾燥装置は、前記箱体の上部を手前使用者側へ傾斜させたことを特徴とする請求項１及び２記載の手乾燥装置。
【請求項４】
前記気体吹出口は、使用者から離れる方向へ傾斜させたことを特徴とする請求項１乃至３記載の手乾燥装置。
【請求項５】
前記気体吹出口の風量は、手の甲側より掌側を多くしたことを特徴とする請求項１乃至４記載の手乾燥装置。
【請求項６】
前記手挿入口を照らす照明手段を備えていることを特徴とする請求項１乃至５記載の手乾燥装置。
【請求項７】
前記照明手段は、前記吹出口掌側近傍に配設され、掌側から水受部側に向かって照射されることを特徴とする請求項６記載の手乾燥装置。
【請求項８】
前記水受部に受けた水を誘導する排出路と前記水をためる水受けトレイを設けたことを特徴とする請求項１乃至７記載の手乾燥装置。
【請求項９】
前記水受けトレイを、箱体下部に設けたことを特徴とする請求項８記載の手乾燥装置。
【請求項１０】
前記箱体水受部の下方で水受けトレイ上方の内部左右方向の中心位置に気体供給装置を備え、該気体吹出口に気体を供給することを特徴とする請求項１乃至９記載の手乾燥装置。
【請求項１１】
前記気体吹出口に対して差し出された手を検出する手検出手段と、該手検出手段からの検出信号に基づいて前記気体供給装置及び前記加熱手段の駆動を制御する制御部と、清掃時に操作する清掃用スイッチとを備え、前記制御部は、前記清掃用スイッチによる操作信号が入力されると、前記手検出手段による検出信号を所定時間無効にし、所定時間経過後は前記検出信号を有効にすべく制御してなることを特徴とする請求項１０記載の手乾燥装置。
【請求項１２】
前記清掃用スイッチは、前記所定時間内に再度操作信号が入力されると前記操作信号を有効にすることを特徴とする請求項１０および１１記載の手乾燥装置。
【発明の詳細な説明】
【０００１】
【発明の属する技術分野】
本発明は、濡れた手に付着している水等を気体で吹き飛ばして乾燥させる手乾燥装置に関する。
【０００２】
【従来の技術】
従来、手乾燥装置として、装置本体に配設された高圧空気供給手段から供給された高圧空気を手挿入口近傍に設けられた空気吹出しノズルから吹出して、手挿入部に挿入された手の表と裏に付着した水滴を吹き飛ばし、手を乾燥させるものが知られている（例えば、特許文献１参照。）。
【０００３】
【特許文献１】
特開昭６３−１５４１３８号公報（第２−３項、第３図）
【０００４】
【発明が解決しようとする課題】
しかしながら、特開昭６３−１５４１３８号の構成では、手挿入口が狭く挿入した手が見えず、恐怖感がある。また、空気吹出しノズル等に手が接触し不衛生である。
【０００５】
さらに、両手の手のひら側を平行にそろえなければならず、自然な体勢で使用できない。
【０００６】
本発明は、上記課題を解決するためになされたもので、本発明の目的は、手の両面に付着した水分を効率よく短時間に除去すると共に、清潔で自然な体勢で安心して使用できる手乾燥装置を提供することにある。
【０００７】
【課題を解決するための手段及びその作用・効果】
箱体と、その箱体の略上面部に中央部が使用者より離れる方向へ左右が使用者側へ近づく方向へ開口した手挿入口と、この手挿入口の左右に挿入される両手の掌側と甲側の両面に気体を吹出す、開口部近傍内面の対面する位置に、開口部に沿って横長に形成させた気体吹出口と、該気体吹出口の下方に配設させた前記気体吹出口からの吹出し風により手より吹飛ばされた水滴を受け止めるための水受部を備えたことを特徴としている。
【０００８】
この構成によれば、手挿入部に挿入された手に対して掌と手の甲の両側に同時に気体を当てることができるので、複数回手の挿入を繰り返すことなく、手に付着した水分を効率よく除去することができと共に挿入した手が見えるので恐怖心を取り除くことが出来るので安心して使用できる。
【０００９】
さらに、自然な体勢で手を挿入できるので使用感の向上が図れる。
【００１０】
また、前記手挿入口を、くの字形又は円弧状に中央部より左右方向が使用者側へ近づいて開口した構成にすれば、手を自然な体勢で挿入することができるので使用感の向上が図れる。
【００１１】
また、前記手乾燥装置を、前記箱体の上部を手前使用者側へ傾斜させた構成にすれば、手を自然な体勢で挿入することができるので使用感の向上が図れる。
【００１２】
また、前記気体吹出口を、使用者から離れる方向に気体を吹出すように設ければ、気体吹出口から吹き出された気体や飛散した水等が使用者に当たって不快感を与えることがない。また、気体吹出口から吹き出された気体が手に沿って効率よく指先に流れ込るため、乾燥効率の向上が図れる。
【００１３】
また、記気体吹出口の風量を、手の甲側より水分の多い掌側を多くした構成にすれば、乾燥効率の向上が図れる。
【００１４】
また、前記手挿入部を照らす照明手段を備えた構成にすれば、手挿入部が明るくなり清潔感が有り安心して使用できる。
【００１５】
また、前記照明手段は、前記吹出口掌側近傍に配設され、掌側から水受部側に向かって照射される構成にすれば、照明手段が使用者に直接見にくくなり眩しさを防止できる。
【００１６】
また、前記水受部に受けた水を誘導する排出路と前記水をためる水受けトレイを設けた構成にすれば、水受部に水が残らず乾燥風での水の飛散を防止でき水等が使用者に当たって不快感を与えることがない。
【００１７】
また、前記水受けトレイを、箱体下部に設ければ、水受部の水を自然に水受トレイに排出することができ水受部に水が残るのを防止できるので乾燥風での水の飛散を防止でき水等が使用者に当たって不快感を与えることがない。
【００１８】
また、前記箱体水受部の下方で水受けトレイ上方の内部左右方向の中心位置に気体供給装置を備え、該気体吹出口に気体を供給する構成にすると、手乾燥装置がコンパクトになり設置、移動が簡単にスムーズに実施できる。
【００１９】
また、前記気体吹出口に対して差し出された手を検出する手検出手段と、該手検出手段からの検出信号に基づいて前記気体供給装置の駆動を制御する制御部と、清掃時に操作する清掃用スイッチとを備え、前記制御部は、前記清掃用スイッチによる操作信号が入力されると、前記手検出手段による検出信号を所定時間無効にし、所定時間経過後は検出信号を有効にすべく制御する構成にすれば、清掃時清掃用スイッチを操作することで手検出手段により手を検出しても、気体吹出口からの吹出し風が出るのを一時的に停止でき、所定時間経過後は前記手検出手段の検出信号に基づき気体吹出し口からの吹出し風が出るように出来るので清掃がスムーズに実施できる。
【００２０】
また、前記清掃用スイッチは、前記所定時間内に再度操作信号が入力されると前記操作信号を有効にする構成にすれば、所定時間内に清掃等が終了した場合、再度清掃スイッチを操作することで手検出手段により手を検出した場合、気体吹出し口から吹出し風が出るように出来る。
【００２１】
【発明の実施の形態】
以下に、本発明の実施の形態を添付図面に基づいて説明する。
【００２２】
図１は、本発明に係る手乾燥装置の第１および第２の実施例を示す斜視図であり、図２は、本発明に係る手乾燥装置の第１および第２の実施例を示す上面図である。
【００２３】
図１及び図２に示すように、手乾燥装置Ａは、箱体１の上面部にくの字形に中央部が使用者より離れる方向へ左右両端が使用者側へ近づく方向へ開口した手挿入口２が設けられており、この手挿入口２側近傍に気体吹出口３ａ及び３ｂが設けられている。また、気体吹出口からの吹出し風により吹き飛ばされた水滴を受け止める水受部４が手挿入口の開口側の下方に設けられている。尚、この水受部は、中央部が低くなるように円弧状に形成されている。また、図示はないが、気体吹出し口に気体を供給する気体供給手段が設けられている。
【００２４】
以上のように構成された手乾燥装置の動作について、以下に説明する。
【００２５】
使用者が手挿入口２に手を挿入すると、気体供給手段より気体が供給され、気体吹出口３ａから手の甲側に、３ｂより掌側に向けて、使用者から離れる方向に気体を吹出し、手に付着している水滴等を吹き飛ばして、手の乾燥が行われる。
【００２６】
そして、気体吹出口３ａ、３ｂから吹出された吹出し風および、吹出し風により吹出された水滴等は、水受部４に向い吹き飛ばされた水滴等は水受部４に集められる。
【００２７】
従って、このように構成すれば、手乾燥装置Ａを使用時、使用者が濡れた手を手挿入口２に挿入すると、挿入された手に対して気体吹出口３ｂから掌に、気体吹出口３ａから手の甲に同時に気体を当てることができるので、使用者自ら手を裏表に反復させることを繰り返すことなく、手に付着した水分を効率よく除去することができる。
【００２８】
また、挿入した手が見えるので開放感が有り恐怖感を取り除くことが出来るので安心して使用できる。
【００２９】
さらに、自然な体勢で手を挿入できるので使用感の向上が図れる。
【００３０】
図３は、本発明に係る手乾燥装置の第２の実施例を示す上面図である。
【００３１】
図３に示すように、手挿入口２を、円状に中央部より左右両端が使用者方向へ開口するように構成したものである。
【００３２】
このように構成すれば、自然な体勢で手を挿入できるので使用感の向上が図れる。
【００３３】
図４は、本発明に係る手乾燥装置の第３の実施例を示す斜視図である。
【００３４】
図４に示すように、箱体１の上面手前使用者側へ傾斜させた構成したものである。
【００３５】
このように構成しても、自然な体勢で手を挿入できるので使用感の向上が図れる。
【００３６】
尚、図示はないが気体吹出口３ａ及び３ｂを使用者から離れる方向に気体を吹出すように設けた構成すれば、気体吹出口３ａ及び３ｂから吹出された気体や飛散した水等が使用者に当るのを防止することができる。
【００３７】
また、気体吹出口３ａ及び３ｂから吹出された気体が手に沿って効率よく指先に流れるため、乾燥効率の向上が図れる。
【００３８】
更に、気体吹出口３ａ及び３ｂの風量を、気体吹出口３ａより気体吹出口３ｂの方を多くした構成にしたものである。
【００３９】
このように構成すると、水分の多い掌側の風量が多くなり、乾燥効率の向上が図れる。
【００４０】
図５は、本発明に係る手乾燥装置の第６の実施例を示す断面図である。
【００４１】
図５に示すように、手乾燥装置Ａの手挿入部２を照らす照明手段５を吹出口下のに設けたものである。
【００４２】
このように構成すると、手挿入部２が明るくなり清潔感が有り安心して使用できる。
【００４３】
更に、照明手段５を掌側気体吹出口３ｂの吹出口下の開口側近傍に設たことで、手挿入部手前側から奥側に向かって照射されるため、照明手段５が使用者に直接見えにくくなり眩しさを防止できる。
【００４４】
図６は、本発明に係る手乾燥装置の第８の実施例を示す断面図である。
【００４５】
図６に示すように、水受部下方に水受部４に受けた水を誘導する排水路６と水受けトレイ７を設けた構成にしたものである。
【００４６】
このように構成にすると、水受部４に水が残るのを防止できるので、乾燥風での水の飛散を防止できる。
【００４７】
更に、水受けトレイ７を箱体１の下部に設けた構成にすれば、水受部４の水を自然に水受けトレイ７に排出することができる。
【００４８】
図７は、本発明に係る手乾燥装置の第１０の実施例を示す断面図である。
【００４９】
図７に示すように、箱体１の内部に気体吹出口３ａ及び３ｂに気体を供給する気体供給装置８を備えた構成にしたものである。
【００５０】
このように構成すると、手乾燥装置をコンパクトに出るので設置、移動が簡単にスムーズに実施できる。
【００５１】
図８は、本発明に係る手乾燥装置の第１１の実施例を示す断面図である。
【００５２】
図８に示すように、気体吹出口３ａ及び、３ｂに差し出された手を検出する手検出手段９ａ及び９ｂと、図示はないが手検出手段９ａ及び９ｂからの検出信号に基づいて気体供給装置８の駆動を制御する制御部と、清掃時に操作する清掃用スイッチ１０を備えた構成にしたものである。
【００５３】
このように構成すると、清掃時清掃用スイッチ１０を操作することで所定時間手検出手段９ａ及び９ｂにより手を検出しても、気体吹出し口３ａ及び３ｂからの吹出し風が出るのを一時的に停止でき所定時間が経過すれば、手検出手段９ａ及び９ｂからの検出信号に基づき気体吹出し口３ａ及び３ｂからの吹出し風を出せるように出来るので清掃がスムーズに実施できる。
【００５４】
また、所定時間内に清掃等が終了した場合、再度清掃スイッチ１０を操作することで手検出手段９ａ及び９ｂにより手を検出した場合、気体吹出し口３ａ及び３ｂからのから吹出し風が出るように出来るので使い勝手が良くなる。
【図面の簡単な説明】
【図１】本発明に係る手乾燥装置の第１の実施例を示す斜視図である。
【図２】本発明に係る手乾燥装置の第１の実施例を示す上面図である。
【図３】本発明に係る手乾燥装置の第２の実施例を示す上面図である。
【図４】本発明に係る手乾燥装置の第３の実施例を示す斜視図である。
【図５】本発明に係る手乾燥装置の第６の実施例を示す断面図である。
【図６】本発明に係る手乾燥装置の第８の実施例を示す断面図である。
【図７】本発明に係る手乾燥装置の第１０の実施例を示す断面図である。
【図８】本発明に係る手乾燥装置の第１１の実施例を示す側面図である。
【符号の説明】
Ａ・・・手乾燥装置
１・・・箱体
２・・・手挿入口
３ａ・・・手の甲側の気体吹出口
３ｂ・・・掌側の気体吹出口
４・・・水受部
５・・・照明手段
６・・・排水路
７・・・水受けトレイ
８・・・気体供給装置
９ａ、９ｂ・・・手検出手段
１０・・・掃除用スイッチ
【図１】
2004113712.tif 000003
【図２】
2004113712.tif 000004
【図３】
2004113712.tif 000005
【図４】
2004113712.tif 000006
【図５】
2004113712.tif 000007
【図６】
2004113712.tif 000008
【図７】
2004113712.tif 000009
【図８】
2004113712.tif 000010